(57)【要約】      （修正有）【課題】刃部を砥ぐために何度でも解体可能な開封用ペーパーカッターを提供する。【解決手段】開封用ペーパーカッター１は、封筒または封書を開封する刃物１０と刃物の一部を収納する収納ケース５０と収納ケースに対して刃物を固定する複数のビス１００とを備え、刃物が、収納ケースに挿入する挿入部と、挿入部の挿入方向に対して略直角方向に先端を延長して収納ケースの外部に露出するガイド部１２と、挿入部とガイド部との交差領域で挿入部およびガイド部に対して斜め方向に設けた刃部１４とで一体成型され、収納ケースは、刃物の挿入部を挟持する第１の把持板５１Ｌと第２の把持板５１Ｒとで構成され、複数のビスのうちの１つが、刃物を貫通している。【選択図】図１
0003222089.tif 000002
【実用新案登録請求の範囲】
【請求項１】
封筒または封書を開封する刃物と、前記刃物の一部を収納する収納ケースと、前記収納ケースに対して前記刃物を固定する複数のビスとを備え、
前記刃物が、前記収納ケースに挿入する挿入部と、該挿入部の挿入方向に対して略直角方向に先端を延長して前記収納ケースの外部に露出するガイド部と、前記挿入部とガイド部との交差領域で前記挿入部およびガイド部に対して斜め方向に設けた刃部とで一体成型され、
前記収納ケースが、前記刃物の挿入部を挟持する第１の把持板と第２の把持板とで構成され、
前記複数のビスのうちの1つが、前記刃物を貫通していることを特徴とする、解体可能な開封用ペーパーカッター。
【請求項２】
封筒または封書を開封する刃物と、前記刃物の一部を収納する収納ケースと、前記収納ケースに対して前記刃物を固定する複数のビスとを備え、
前記刃物が、前記収納ケースに挿入する挿入部と、該挿入部の挿入方向に対して略直角方向となる切断方向に先端を延長して前記収納ケースの外部に露出するガイド部と、前記挿入部とガイド部との交差領域で前記挿入部およびガイド部に対して斜め方向に設けて前記収納ケースと離間して対向する刃部とで一体成型され、
前記収納ケースが、前記刃物の挿入部を挟持するとともに前記刃物のガイド部に対向して切断方向に延びる第１の把持板と第２の把持板とで構成され、
前記複数のビスのうちの1つが、前記刃物を貫通していることを特徴とする、解体可能な開封用ペーパーカッター。
【請求項３】
封筒または封書を開封する刃物と、前記刃物の一部を収納する収納ケースと、前記収納ケースに対して前記刃物を固定する複数のビスとを備え、
前記刃物が、前記収納ケースに挿入する挿入部と、該挿入部の挿入方向に対して略直角方向となる切断方向に先端を延長して前記収納ケースの外部に露出するガイド部と、前記挿入部とガイド部との交差領域で前記挿入部およびガイド部に対して斜め方向に設けて前記収納ケースと離間して対向する刃部とで一体成型され、
前記収納ケースが、前記刃物の挿入部を挟持するとともに前記刃物のガイド部に対向してガイド部の先端よりも切断方向に延びる第１の把持板と第２の把持板とで構成され、
前記複数のビスのうちの1つが、前記刃物を貫通していることを特徴とする、解体可能な開封用ペーパーカッター。
【考案の詳細な説明】
【技術分野】
【０００１】
本考案は、解体可能な開封用ペーパーカッターに関する。
【背景技術】
【０００２】
従来、封筒、封書を開封するために、ナイフや鋏など刃物を利用する他、様々な開封用ペーパーカッターが開発され、市販されている。
【０００３】
一般に、刃物の切れ味は、半永久的に持続するものではなく、砥ぎのメンテナンスをしてその切れ味を蘇生させる必要がある。
しかし、従来の開封用ペーパーカッターは、刃部を砥いでメンテナンスし、半永久的に使用することを想定したものは少なく、安価で使い捨てのものが多い。
【０００４】
例えば、図１２（ａ）、図１２（ｂ）のように、小刃２０１を押し当てながらスライドさせて封筒５００を開封する開封用ペーパーカッターが周知である。
また、図１２（ａ）の開封用ペーパーカッターは、ガイド突起２１０を封筒５００の開口部の隙間に差し込んで、刃２０２で開封することもできる。
【０００５】
一方、特許文献１には、刃部材を容易に交換可能な封筒開封具が開示され、図１３に示すように、刃部材２０３をケース本体内に移動自在に操作できると共に、使用した先端側の刃を折り捨てることにより新しい刃に交換することができる。
この封筒開封具は、載置型であり、ケース本体の斜側部に設けた溝状ガイドから刃部材２０３を突出させ、封筒の開口部を当該溝状ガイドに沿ってスライドさせ、刃部材２０３により開封する。
【０００６】
また、図１４（ｂ）のような上記と同様な溝状ガイドを利用した、手動式の開封用カッターが特許文献２に開示され、図１４（ａ）のように、溝状ガイドで封筒５００の開口部を挟んでスライドさせ、溝状ガイド内で突出させた刃２０２により開封を行う。
【０００７】
しかし、これらの溝状ガイドを利用したタイプの開封用ペーパーカッターを用いて、封筒５００の開口部を折目に沿って綺麗に開封させるには経験を必要とし、図１２（ａ）の開封用ペーパーカッターのように、ガイド突起２１０を封筒５００の開口部の隙間に差し込んで開封する方が慣れない者にも使いやすい。
すなわち、ガイド突起２１０を備えるペーパーカッターであれば、初心者であっても、綺麗に折目に沿って封筒５００を開封させることが容易である。
【０００８】
このようなガイド突起２１０を備えた開封用ペーパーカッターは、ガイド突起２１０の尖った先端が外部に出ていて、幼児や子供には危険な場合もあるが、特許文献３に開示された開封器（図１５参照）は、案内板（ガイド突起２１０）を突設させた刃物部２０５を収納ケース内に収納し得るようにして、この問題を解決している。
しかし、この開封器の刃は、刃物部２０５に突設させた案内板（ガイド突起２１０）の根本部に凹状に設けられ、刃を砥いでメンテナンス可能には構成されていない。
【０００９】
【特許文献１】特開２００７−１１２１１０号公報
【特許文献２】特開平７−２８４５７４号公報
【特許文献３】実開平６−３９４９８号公報
【考案の概要】
【考案が解決しようとする課題】
【００１０】
そこで、本考案は、刃部を砥ぐために何度でも解体可能な開封用ペーパーカッターを提供することを目的とする。
【課題を解決するための手段】
【００１１】
本請求項1記載の考案である開封用ペーパーカッターは、封筒または封書を開封する刃物と、前記刃物の一部を収納する収納ケースと、前記収納ケースに対して前記刃物を固定する複数のビスとを備え、前記刃物が、前記収納ケースに挿入する挿入部と、該挿入部の挿入方向に対して略直角方向に先端を延長して前記収納ケースの外部に露出するガイド部と、前記挿入部とガイド部との交差領域で前記挿入部およびガイド部に対して斜め方向に設けた刃部とで一体成型され、前記収納ケースが、前記刃物の挿入部を挟持する第１の把持板と第２の把持板とで構成され、前記複数のビスのうちの1つが、前記刃物を貫通していることを特徴とするものである。
【００１２】
本請求項２記載の考案である開封用ペーパーカッターは、封筒または封書を開封する刃物と、前記刃物の一部を収納する収納ケースと、前記収納ケースに対して前記刃物を固定する複数のビスとを備え、前記刃物が、前記収納ケースに挿入する挿入部と、該挿入部の挿入方向に対して略直角方向となる切断方向に先端を延長して前記収納ケースの外部に露出するガイド部と、前記挿入部とガイド部との交差領域で前記挿入部およびガイド部に対して斜め方向に設けて前記収納ケースと離間して対向する刃部とで一体成型され、前記収納ケースが、前記刃物の挿入部を挟持するとともに前記刃物のガイド部に対向して切断方向に延びる第１の把持板と第２の把持板とで構成され、前記複数のビスのうちの1つが、前記刃物を貫通していることを特徴とするものである。
【００１３】
本請求項３記載の考案である開封用ペーパーカッターは、封筒または封書を開封する刃物と、前記刃物の一部を収納する収納ケースと、前記収納ケースに対して前記刃物を固定する複数のビスとを備え、前記刃物が、前記収納ケースに挿入する挿入部と、該挿入部の挿入方向に対して略直角方向となる切断方向に先端を延長して前記収納ケースの外部に露出するガイド部と、前記挿入部とガイド部との交差領域で前記挿入部およびガイド部に対して斜め方向に設けて前記収納ケースと離間して対向する刃部とで一体成型され、前記収納ケースが、前記刃物の挿入部を挟持するとともに前記刃物のガイド部に対向してガイド部の先端よりも切断方向に延びる第１の把持板と第２の把持板とで構成され、前記複数のビスのうちの1つが、前記刃物を貫通していることを特徴とするものである。
【考案の効果】
【００１４】
本考案に係る解体可能な開封用ペーパーカッターは、第１の把持板及び第２の把持板に刃物を挟持し、把持板の外側からビスを貫通させて固定して形成した収納ケースに、刃物を収納して組み立て可能である。
このように組み立てた開封用ペーパーカッターは、ビスを外して解体可能であり、刃部を取り出して、これを砥ぐことにより何度でも刃部をメンテナンスすることができる。
【００１５】
本考案に係る解体可能な開封用ペーパーカッターは、刃物はガイド部を備えるので、封書などの開口部にこれを差し込んで、ガイド部の根元に設けた刃部に案内し、容易に開封することができる。
【００１６】
なお、開封を行う刃部は、刃物のガイド部と収納ケースに収納する挿入部とが交差するガイド部の根元位置、すなわち、交差領域を指などに触れにくいように形成し、ガイド部の先端も丸みを設けて安全に配慮している。
本考案に係る開封用ペーパーカッターは、半永久的に使用できるため、高級な開封用ペーパーカッターとして仕上げることができ、机上などに載置して、ガイド部をポイントとした装飾品として使用することもできる。
【００１７】
しかし、子供などが誤用する恐れがある万一の場合に備えて、本考案に係る解体可能な開封用ペーパーカッターは、ガイド部の刃先や刃部を、収納ケースに収納し得る形態に変更してもよい。
収納ケース内で刃物を上下に摺動させたり、回動させたりする構成とすることで、ガイド部の刃先や刃部を、収納ケースに収納することができる。
【００１８】
さらに、本考案に係る解体可能な開封用ペーパーカッターは、収納ケース内に設けた空洞部にバネを封止して利用したり、磁石を埋め込むことにより、刃部を露出させた使用状態から、自動的にガイド部の刃先や刃部を収納ケースに収納した収納状態に復帰させることができる。
【図面の簡単な説明】
【００１９】
【図１】（ａ）本考案の実施例である開封用ペーパーカッターの平面図、（ｂ）本考案の実施例である開封用ペーパーカッターの側面図。
【図２】（ａ）本考案の実施例である開封用ペーパーカッターの側面断面図、（ｂ）刃物の側面図、（ｃ）第１の把持板又は第２の把持板の側面図。
【図３】本考案の実施例を変更した変形例１に係る開封用ペーパーカッターの、（ａ）使用状態における側面断面図、（ｂ）収納状態における側面断面図、（ｃ）第１の把持板又は第２の把持板の側面図。
【図４】本考案の実施例を変更した変形例２に係る開封用ペーパーカッターの、（ａ）使用状態における側面断面図、（ｂ）収納状態における側面断面図、（ｃ）第１の把持板又は第２の把持板の側面図。
【図５】本考案の実施例を変更した変形例３に係る開封用ペーパーカッターの（ａ）刃物の側面図、（ｂ）第１の把持板又は第２の把持板の側面図。
【図６】本考案の実施例を変更した変形例３に係る開封用ペーパーカッターの、（ａ）収納状態における側面断面図、（ｂ）使用状態における側面断面図。
【図７】本考案の実施例を変更した変形例４に係る開封用ペーパーカッターの（ａ）刃物の側面図、（ｂ）第１の把持板又は第２の把持板の側面図。
【図８】本考案の実施例を変更した変形例４に係る開封用ペーパーカッターの、（ａ）収納状態における側面断面図、（ｂ）使用状態における側面断面図。
【図９】本考案の実施例を変更した変形例５に係る開封用ペーパーカッターの（ａ）刃物の側面図、（ｂ）第１の把持板又は第２の把持板の側面図。
【図１０】本考案の実施例を変更した変形例５に係る開封用ペーパーカッターの、（ａ）収納状態における側面断面図、（ｂ）使用状態における側面断面図。
【図１１】磁石を埋め込んだ本考案の実施例を変更した変形例に係る開封用ペーパーカッターの、（ａ）使用状態における側面断面図、（ｂ）収納状態における側面断面図。
【図１２】（ａ）従来のガイド突起付き開封用ペーパーカッターの斜視使用図、（ｂ）従来の開封用ペーパーカッターの斜視使用図。
【図１３】従来の刃部材を交換可能な封筒開封具の斜視図。
【図１４】従来の溝状ガイドを利用した開封用ペーパーカッターの、（ａ）斜視使用図、（ｂ）溝状ガイドの断面図。
【図１５】従来の、刃物を収納ケース内に収納可能な開封器の側面図。
【考案を実施するための形態】
【００２０】
以下、図面を参照しながら、本考案に係る実施例の開封用ペーパーカッターについて説明する。
なお、以下、各図面を通して同一の構成要素には同一の符号を使用するものとする。
また、図２乃至図１１は、その特徴部分をわかりやすく説明するために、図１の開封用ペーパーカッター１における封筒または封書を開封するための切断方向と挿入部１６の挿入方向との寸法比が変更されている。
【００２１】
本考案に係る実施例の開封用ペーパーカッター１は、図１に示すように、封筒または封書を開封する刃物１０と、この刃物１０の一部を収納する収納ケース５０と、この収納ケース５０に対して刃物１０を固定する複数のビス１００とを備え、刃物１０が、収納ケース５０に挿入する挿入部と、この挿入部の挿入方向に対して略直角方向に先端を延長して収納ケース５０の外部に露出するガイド部１２と、挿入部１６とガイド部１２との交差領域で挿入部１６およびガイド部１２に対して斜め方向に設けた刃部１４とで一体成型され、収納ケース５０が、刃物１０の挿入部１６を挟持する第１の把持板５１Ｌと第２の把持板５１Ｒとで構成され、複数のビス１００のうちの1つが、刃物１０を貫通している。
すなわち、本考案に係る実施例の開封用ペーパーカッター１は、図２（ａ）〜（ｃ）に示すように、
（１）下端１８を有する挿入部１６、および、挿入部１６の上方からこの挿入部１６の挿入方向に対して先端１３を略直角方向となる切断方向に延伸して前記収納ケース５０の外部に露出させたガイド部１２を一体成型し、挿入部１６とガイド部１２とが交差する位置すなわち交差領域に、これら挿入部１６とガイド部１２の両者に斜め方向を成すように刃部１４を設けた刃物１０（図２（ｂ）参照）と、
（２）外面と内面とを有し、内面に凹部構造６０Ｌおよび６０Ｒを形成した、刃物１０の挿入部１６を挟持するとともに刃物１０のガイド部１２に対向してガイド部１２の先端１３よりも切断方向に延びる同形の第１の把持板５１Ｌおよび第２の把持板５１Ｒ（図２（ｃ）参照）と、
（３）第１の把持板５１Ｌおよび第２の把持板５１Ｒの各々の内面を合わせて、各々の外面側から両把持板５１Ｌ、５１Ｒを貫通させて固定し、収納ケース５０を形成する２本のビス１００（図２（ａ）参照）と、
を備えている。
なお、図２（ａ）〜（ｃ）を含む図面において、把持板５１Ｌ、５１Ｒの内面凹部構造などの内部構造は、点線で示し、これをリファーする符号は、括弧書きとしている。
【００２２】
本考案に係る実施例の開封用ペーパーカッター１は、図２（ａ）のように、刃物１０の挿入部１６を、第１の把持板５１Ｌおよび第２の把持板５１Ｒの内面に形成した上記凹部構造６０Ｌおよび６０Ｒ間に挟持させ、両把持板５１Ｌ、５１Ｒを２本のビス１００により固定して、収納ケース５０に刃物１０を収納する（図２（ａ）参照）。
このようにして完成させた開封用ペーパーカッター１の一例の平面図を図１（ａ）に、側面図を図１（ｂ）に示す。
【００２３】
なお、図２（ａ）〜（ｃ）に示す実施例の開封用ペーパーカッター１においては、２本のビス１００の内、一のビスは、両把持板５１Ｌ、５１Ｒを外面に開口したビス孔５２から刃物１０の挿入部１６に設けたビス貫通孔２２を貫通させて両把持板５１Ｌ、５１Ｒを固定する構成としているが、必ずしも挿入部１６に設けたビス貫通孔２２を貫通させる必要はなく、ビス孔５２の開口位置は、適宜設計してよい。
【００２４】
本考案に係る実施例の開封用ペーパーカッター１は、使い捨ての安価なペーパーカッターや刃を順次折り棄てたり交換可能としたペーパーカッターとは異なり、複数のビス１００による固定を解除して、刃物１０と第１の把持板５１Ｌと第２の把持板５１Ｒとに解体し、刃物１０の刃部１４を研磨して、繰り返し、刃部１４のメンテナンスを行うことができる。
そのため、刃物１０は、高級な包丁やナイフなどと同様な高級素材を用いて、全体を重厚に製造し、装飾品のように用いることもできる（図１参照）。
【００２５】
ガイド部１２と収納ケース５０の上辺間は、十分に狭く、指が挟まって刃部１４に届くことがないように設計するのであれば、図１（ｂ）のように、刃部１４を収納ケース５０の外部に露出させる構成でもよい。
また、ガイド部１２の先端１３も丸みを持たせ、図１（ｂ）でいえば、収納ケース５０の左端から突出させないように設計するので、誤って指を負傷するなどの危険に配慮している。
【００２６】
このような、ガイド部１２と刃部１４を、収納ケース５０の外部に露出させた構成は、本考案に係る開封用ペーパーカッター１を解体可能な高級刃物として想定すれば、ガイド部１２やその根元部の刃部１４などが意匠の特徴点となり、机上や棚などに載置して装飾品としても用いる場合に好適である。
しかし、子供などが誤用する恐れがある万一の場合に備えて、ガイド部１２の刃先１３や刃部１４を、収納ケース５０に収納し得る形態について、以下に、実施例を用いて説明する。
【００２７】
以下、本考案に係る実施例の開封用ペーパーカッター１を変更した変形例について説明するが、本考案は、これらの変形例に限定されるものではなく、他にも様々な実施形態をとることができる。
【００２８】
なお、変形例の説明に当たり、収納ケース５０内の収納構造５５を定義する。
例えば、上記実施例に係る開封用ペーパーカッター１において、第１の把持板５１Ｌおよび第２の把持板５１Ｒの内面に形成した上記凹部構造６０Ｌ、６０Ｒは、収納ケース５０内に収納構造５５を形成する（図２（ａ）参照）。
すなわち、上記実施例においては、第１の把持板５１Ｌおよび第２の把持板５１Ｒの各々の内面に形成した凹部構造６０Ｌおよび６０Ｒが挿入部１６を挟持し、収納ケース５０内で挿入部１６を収納する収納構造５５を形成する。
この上記実施例における収納構造５５は、以下の本考案を変更した変形例で説明する挿入部収納構造６０に相当する。
（変形例１）
【００２９】
本考案を変更した変形例１に係る開封用ペーパーカッター１において、図３（ａ）を参照すると、収納構造５５は、ガイド部１２を収納するためのガイド部収納構造８０と、刃部１４を収納するための刃部収納構造７０と、挿入部１６を上下に摺動可能に収納するための、下底部６４を有する挿入部収納構造６０と、を有する。
【００３０】
図３（ｃ）は、第１の把持板５１Ｌ又は第２の把持板５１Ｒの側面図を表すが、その内面に形成した凹部構造を点線で示し、両把持板５１Ｌ、５１Ｒの内面を合わせてその凹部構造が形成する収納構造５５に対応させて、５５Ｌ又は５５Ｒの符合を付けている。
また、収納ケース５０内部の収納構造５５を構成する挿入部収納構造６０、刃部収納構造７０、ガイド部収納構造８０に対応させて、これらを形成する凹部構造を、それぞれ挿入部凹部構造６０Ｌ（Ｒ）、刃部凹部構造７０Ｌ（Ｒ）、ガイド部凹部構造８０Ｌ（Ｒ）などとして符合を付けている。
以下、本明細書及び図面において同様である。
【００３１】
本考案を変更した変形例１に係る開封用ペーパーカッター１において、収納ケース５０内に形成した挿入部収納構造６０は、図３（ｃ）に示すように、刃物１０の挿入部１６を摺動自在に出し入れするための開口部６２を収納ケース５０の表面に、挿入通路６３と下底部６４とを収納ケース５０の内部に有する。
そして、刃部収納構造７０及びガイド部収納構造８０は、挿入部１６の下端１８を挿入部収納構造６０の下底部６４まで下方に摺動させて収納した収納状態で、それぞれ刃部１４及びガイド部１２の少なくとも先端１３を収納することができる（図３（ｂ）参照）。
【００３２】
本考案を変更した変形例１に係る刃物１０の挿入部１６は、図３（ａ）、（ｂ）に示すように、その下端１８からストッパー１９を下端１８と直角方向に突設させている。
また、下底部６４を有する挿入部収納構造６０は、挿入部１６を上下に摺動させる際に、ストッパー１９が下底部６４から上底部６６間を摺動可能な、下底部６４と上底部６６により画される空洞部６８を有する。
【００３３】
したがって、本考案を変更した変形例１の開封用ペーパーカッター１は、摘み部１５等を摘まむなどして刃物１０を上方に引き出して、ストッパー１９を空洞部６８の上底部６６に係止させることにより、刃物１０を使用状態とし、ガイド部１２の先端１３を封筒などの開封口の折目に差し込んで刃部１４により開封させることができる。
【００３４】
封筒または封書の開封作業が終了すれば、そのまま放置して装飾品として用いてもよいが、より安全を図るために、刃物１０を下方に摺動させて、ストッパー１９を空洞部６８の下底部６４にまで押し込むことにより、刃物１０を収納状態としてもよい。
【００３５】
なお、本考案を変更した変形例１では、開封用ペーパーカッター１を図３（ａ）、（ｂ）のような形状としたので、刃物１０を上方に引き出すための摘み部１５を設けたが、開封用ペーパーカッター１の各要素（刃物１０、収納ケース５０など）の形状によっては、摘み部１５は、特に必要ではなく、収納状態で収納ケース５０から露出しているガイド部１２の上部などを摘まんで刃物１０を上方に引き出す構成としてもよい。
以下の本考案を変更した変形例においても、同様である。
（変形例２）
【００３６】
本考案を変更した変形例２では、上記本考案を変更した変形例１の開封用ペーパーカッター１を更に発展させ、使用状態での開封作業が終了すれば、自動的に収納状態に復帰する開封用ペーパーカッター１について説明する。
【００３７】
本考案を変更した変形例２に係る開封用ペーパーカッター１においても、上記本考案を変更した変形例１と同様、図４（ａ）〜（ｃ）のように、刃物１０の挿入部１６は、その下端１８からストッパー１９を突設させ、下底部６４を有する挿入部収納構造６０は、挿入部１６を上下に摺動させる際に、ストッパー１９が下底部６４から上底部６６間を摺動可能な、下底部６４と上底部６６により画される空洞部６８を有する。
【００３８】
本考案を変更した変形例２に係る開封用ペーパーカッター１においては、図４（ａ）、（ｂ）のように、空洞部６８の上底部６６と刃物１０のストッパー１９間で、刃物１０の挿入部１６にバネ４０を巻付けて、空洞部６８に当該バネ４０を封止する。
すなわち、予めバネ４０をストッパー１９上方で挿入部１６に巻付け、把持板５１Ｌ、５１Ｒの内面に形成した挿入部凹部構造６０Ｌ、６０Ｒ間に挟んで、空洞部６８内に、挿入部１６に巻付けたバネ４０を封止する。
【００３９】
刃物１０の下端１８から突出させたストッパー１９を、空洞部６８の下底部６４にまで押し込んだ収納状態（図４（ｂ）参照）で、バネ４０を自然長乃至は自然長より僅かに収縮した状態に設計するのが好適である。
収納状態から刃物１０を上方に引き出して当該バネ４０を収縮させ、刃部１４を収納ケース５０の外部に露出させて、刃物１０を使用状態（図４（ａ）参照）とする。
【００４０】
使用状態において、ガイド部１２と刃部１４は収納ケース５０の外部に露出し、ガイド部１２と収納ケース５０の上辺部間に、封書などの紙を挟んでいる。
刃部１４が当該挟んだ紙をカットして、ガイド部１２と収納ケース５０の上辺部間に何も無くなれば、ガイド部１２を収納ケース５０の上辺部から持ち上げる力が消失し、バネ４０は自然長に戻ろうとするので、本考案を変更した変形例２に係る開封用ペーパーカッター１は自動的に収納状態に復帰する。
（変形例３）
【００４１】
本考案を変更した変形例３に係る開封用ペーパーカッター１において、刃物１０の挿入部１６は、図５（ａ）のように、複数のビス１００のうちの一のビス１０１（図５（ａ）、（ｂ）参照）を貫通させる中空窓２０を有する。
中空窓２０は、上下に上端部２０Ｕと下端２０Ｄと、上端部２０Ｕと下端２０Ｄ間で、貫通させた一のビスが移動可能となる移動路と、から構成される。
【００４２】
第１の把持板５１Ｌおよび第２の把持板５１Ｒの内面に形成した凹部構造６０Ｌおよび６０Ｒは、最初の実施形態で用いた図２（ｃ）と同様、図５（ｂ）のように、収納ケース５０内で挿入部１６を上下に摺動可能に収納するための、開口部６２Ｌ（Ｒ）と下底部６４Ｌ（Ｒ）を有する。
本考案を変更した変形例３に係る開封用ペーパーカッター１においては、その他、収納ケース５０の収納構造５５が、刃部収納構造７０、ガイド部収納構造８０を有するように、凹部構造５５Ｌ（Ｒ）は、刃部凹部構造７０Ｌ（Ｒ）、ガイド部凹部構造８０Ｌ（Ｒ）を有する。
【００４３】
また、収納ケース５０は、挿入部１６を収納した際に中空窓２０を一のビス１０１が貫通する位置に、ビス貫通孔２２（図示せず）を設けている。
【００４４】
そして、収納ケース５０は、一のビス１０１を中空窓２０に貫通させて、収納ケース５０の外部から一のビス１０１を固定することにより、挿入部収納構造６０内で挿入部１６を上下に移動自在に挟持する。
【００４５】
本考案を変更した変形例３に係る開封用ペーパーカッター１は、図６（ｂ）のように刃物１０を上方に引き出して、一のビス１０１を中空窓２０の下端２０Ｄに係止させることにより、刃物１０を使用状態とする。
また、図６（ａ）のように、刃物１０を下方に案内して、一のビス１０１を中空窓２０の上端部２０Ｕに係止させることにより、刃物１０を収納状態とする。
（変形例４）
【００４６】
さらに、本考案を変更した変形例４では、上記本考案を変更した変形例３の開封用ペーパーカッター１を発展させ、使用状態での開封作業が終了すれば、自動的に収納状態に復帰する開封用ペーパーカッター１について説明する。
【００４７】
本考案を変更した変形例４の開封用ペーパーカッター１においては、図７（ａ）のように、刃物１０の挿入部１６の下端からストッパー１９’を挿入部１６と直角方向に突設させる。
下底部６４を有する挿入部収納構造６０は、図７（ｂ）に示す凹部構造から分かるように、挿入部１６を上下に摺動させる際に、ストッパー１９’が下底部６４から上底部６６’間を摺動可能な、下底部６４と当該上底部６６’により画される空洞部６８’を有する。
すなわち、図７（ｂ）の凹部構造６８’Ｌ（Ｒ）が左右合わさって空洞部６８’を構成する。
【００４８】
本考案を変更した変形例４に係る開封用ペーパーカッター１においては、図８（ａ）、（ｂ）のように、空洞部６８’の上底部６６’と刃物１０のストッパー１９’間にバネ４０’を挟み込んで、空洞部６８’にバネ４０’を封止する。
【００４９】
刃物１０の下端１８及びストッパー１９’を、挿入部収納構造６０及び空洞部６８’の下底部６４にまで押し込んだ収納状態（図８（ａ）参照）で、バネ４０’を自然長乃至は自然長より僅かに収縮した状態に設計するのが好適である。
摘み部１５により、収納状態から刃物１０を上方に引き出してバネ４０’を収縮させ、刃部１４を収納ケース５０の外部に露出させて、刃物１０を使用状態（図８（ｂ）参照）とすればよい。
使用状態での開封作業が終了すれば、バネ４０’は、自然長に戻ろうとし、自動的に収納状態（図８（ａ）参照）に復帰する。
【００５０】
なお、以上の変形例１〜４において、収納ケース５０をプラスチックなどの非磁化材料で形成し、刃物１０を磁化可能な材料として、収納ケース５０内の挿入部収納構造６０の下方に磁石を埋め込めば、刃物１０を使用状態から自動的に収納状態（図８（ａ）参照）に復帰させることができる。
例えば、図１１（ａ）、（ｂ）に示すように、挿入部１６の下端１８に磁性体１１２を取り付け、これと対として引き合うように、収納ケース５０の下方に磁石１１０を埋め込んでもよい。
（変形例５）
【００５１】
本考案を変更した変形例５の開封用ペーパーカッター１において、刃物１０の挿入部１６は、図９（ａ）に示すように、複数のビスのうちの一のビス１０２（図１０（ａ）、（ｂ）参照）を貫通させるビス貫通孔２２を有し、挿入部１６の下端１８Ｓは、ビス貫通孔２２を中心とした半円形状である。
【００５２】
図９（ｂ）に示す把持板５１Ｌ（Ｒ）が構成する収納ケース５０は、図１０（ａ）、（ｂ）のように、一のビス１０２をビス貫通孔２２に貫通させて、収納ケース５０の外部から一のビス１０２を固定することにより、挿入部収納構造６０内で、一のビス１０２（ビス貫通孔２２）を中心にして挿入部１６を回動自在に挟持する。
ガイド部の先端１３及び刃部１４を、それぞれ上記ガイド部収納構造８０及び上記刃部収納構造７０に収納した収納状態（図１０（ａ）参照）から、ガイド部１２を上方に引き出すと共に挿入部１６を一のビス１０２（ビス貫通孔２２）を中心に挿入部収納構造６０内で回動させることにより、刃物１０を使用状態（図１０（ｂ）参照）とする。
【００５３】
以上に変形例を用いて説明した本考案に係る開封用ペーパーカッター１は、上述のように、
（１）下端１８を有する挿入部１６、および、挿入部１６の上方から挿入部１６に対して先端１３を略直角方向に延伸させたガイド部１２を一体成型し、挿入部１６とガイド部１２とが交差領域に、これら両者に斜め方向を成すように刃部１４を設けた刃物１０（図２（ｂ）参照）と、
（２）外面と内面とを有し、内面に凹部構造６０Ｌおよび６０Ｒを形成した、同形の第１の把持板５１Ｌおよび第２の把持板５１Ｒ（図２（ｃ）参照）と、
（３）第１の把持板５１Ｌおよび第２の把持板５１Ｒの各々の内面を合わせて、各々の外面側から両把持板５１Ｌ、５１Ｒを貫通させて固定し、収納ケース５０を形成する複数のビス１００（図２（ａ）参照）と、
を備える開封用ペーパーカッター１であり、図２（ａ）のように、刃物１０の挿入部１６を、第１の把持板５１Ｌおよび第２の把持板５１Ｒの内面に形成した凹部構造６０Ｌおよび６０Ｒ間に挟持させ、両把持板５１Ｌ、５１Ｒを複数のビス１００により固定して、収納ケース５０に刃物１０を収納する（図２（ａ）参照）。
【００５４】
このような本考案に係る開封用ペーパーカッター１のメンテナンス方法は、
（Ｓ１）開封用ペーパーカッター１を準備するステップと、
（Ｓ２）複数のビス１００による固定を解除して、刃物１０を、第１の把持板５１Ｌと第２の把持板５１Ｒ間から取り出すステップと、
（Ｓ３）取り出した刃物１０の、挿入部１６とガイド部１２とが交差領域に設けた刃部１４に、砥石などを当てて刃部１４を研磨するステップと、
を含む。
【００５５】
刃部１４の研磨が終了すれば、両把持板５１Ｌ、５１Ｒや複数のビス１００と共に、刃部１４を天日干しや清掃などして乾燥させ、あるいは消毒など行い、再度、開封用ペーパーカッター１を組み立てればよい。
【００５６】
以上、本考案に係る解体可能な開封用ペーパーカッターについて実施例およびその変形例を用いて説明したが、本考案は、これらに限定されるものではない。
【００５７】
その他、本考案は、その主旨を逸脱しない範囲で当業者の知識に基づき種々の改良、修正、変更を加えた態様で実施できるものである。
【産業上の利用可能性】
【００５８】
本考案に係る解体可能な開封用ペーパーカッターは、封筒・封書等の開封に用いることができ、その他薄手の紙類を切断するのに利用することが出来る。
【符号の説明】
【００５９】
１：開封用ペーパーカッター
１０：刃物
１２：ガイド部
１３：（ガイド部の）先端
１４：刃部
１５：摘み部
１６：挿入部
１８Ｓ：（挿入部の半円状）下端
１８：（挿入部の）下端
１９、１９’：ストッパー
２０：中空窓
２０Ｕ：（中空窓の）上端部
２０Ｄ：（中空窓の）下端
２２：ビス貫通孔
４０、４０’：バネ
５０：収納ケース
５１Ｌ：第１の把持板
５１Ｒ：第２の把持板
５２：ビス孔
５５：収納構造
６０：挿入部収納構造
６０Ｌ、６０Ｒ：凹部構造
６２：開口部
６３：挿入通路
６４：（挿入部収納構造及び空洞部の）下底部
６５：（挿入部収納構造の半円状の）下底部
６６、６６’：（空洞部の）上底部
６８、６８’：空洞部
７０：刃部収納構造
８０：ガイド部収納構造
１００：複数のビス
１０１：（中空窓を貫通する）一のビス
１０２：（ビス貫通孔を貫通する）一のビス
１１０：磁石
１１２：磁性体
２０１：小刃
２０２：刃
２０３：刃部材
２０５：刃物部
２１０：ガイド突起部
５００：封筒
【図１】
0003222089.tif 000003
【図２】
0003222089.tif 000004
【図３】
0003222089.tif 000005
【図４】
0003222089.tif 000006
【図５】
0003222089.tif 000007
【図６】
0003222089.tif 000008
【図７】
0003222089.tif 000009
【図８】
0003222089.tif 000010
【図９】
0003222089.tif 000011
【図１０】
0003222089.tif 000012
【図１１】
0003222089.tif 000013
【図１２】
0003222089.tif 000014
【図１３】
0003222089.tif 000015
【図１４】
0003222089.tif 000016
【図１５】
0003222089.tif 000017